(57)【要約】【課題】  通信カラオケにおいて、記憶装置に不正複製されたカラオケデータ（楽曲データ）が記憶されているか否かの検出結果を、確実にセンタ装置に送信することが可能なカラオケシステムを提供する。【解決手段】  工場出荷時又は正規メインテナンス時にカラオケ装置に装着されているＨＤＤのシリアル番号、現在装着されているＨＤＤ２１のシリアル番号、及びそのカラオケ装置を示す番号の対応関係を示すＨＤＤ対応リストを、全てのカラオケ装置において共有する。これにより、センタ装置送信する際に、いずれかのカラオケ装置が通信不能状態にあっても、そのカラオケ装置に関する検出結果をセンタ装置に送信することができる。したがって、不正行為を常に監視することができるので、不正複製されたＨＤＤに換装するといった不正行為を抑止することができる。【選択図】  図６
2007065153.tif 000002
【特許請求の範囲】
【請求項１】
カラオケデータ配信ホスト装置、及び前記カラオケデータ配信ホスト装置から通信回線を介して配信されるカラオケデータを受信するとともに、互いに通信回線を介して接続された複数のカラオケデータ受信装置を有するカラオケシステムであって、
前記複数のカラオケデータ受信装置それぞれに設けられ、前記カラオケデータ配信ホスト装置から配信されたカラオケデータを記憶する記憶装置と、
前記記憶装置に不正複製されたカラオケデータが記憶されているか否かを検出する不正複製検出手段と、
前記複数のカラオケデータ受信装置それぞれに設けられ、前記不正複製検出手段の検出結果を記憶する検出結果記憶手段と、
前記検出結果記憶手段により記憶されている検出結果に基づく情報を前記カラオケデータ配信ホスト装置に送信する検出結果送信手段と
を備えることを特徴とするカラオケシステム。
【請求項２】
カラオケデータ配信ホスト装置、及び前記カラオケデータ配信ホスト装置から通信回線を介して配信されるカラオケデータを受信するとともに、互いに通信回線を介して接続された複数のカラオケデータ受信装置を有するカラオケシステムであって、
前記複数のカラオケデータ受信装置それぞれに設けられ、前記カラオケデータ配信ホスト装置から配信されたカラオケデータを記憶する記憶装置と、
前記複数のカラオケデータ受信装置それぞれに設けられ、自身に設けられた前記記憶装置に不正複製されたカラオケデータが記憶されているか否かを検出する不正複製検出手段と、
前記複数のカラオケデータ受信装置それぞれに設けられ、他の前記カラオケデータ受信装置に設けられた前記不正複製検出手段の検出結果及び自身に設けられた前記不正複製検出手段の検出結果を記憶する検出結果記憶手段と、
前記検出結果記憶手段により記憶されている検出結果に基づく情報を前記カラオケデータ配信ホスト装置に送信する検出結果送信手段と
を備えることを特徴とするカラオケシステム。
【請求項３】
前記検出結果送信手段は、前記複数のカラオケデータ受信装置のうち特定のカラオケデータ受信装置に設けられていることを特徴とする請求項１又は２に記載のカラオケシステム。
【発明の詳細な説明】
【技術分野】
【０００１】
本発明は、カラオケデータ配信ホスト装置及び複数のカラオケデータ受信装置からなるカラオケシステムに関する。
【背景技術】
【０００２】
カラオケデータ配信ホスト装置及び複数のカラオケデータ受信装置からからなるカラオケシステム（いわゆる、通信カラオケ）では、新規の演奏データや画像データ等の楽曲データを通信回線を介してカラオケデータ配信ホスト装置からダウンロードして、このダウンロードした楽曲データをカラオケ装置に内蔵されたハードディスク（ＨＤＤ）等の記憶装置に記憶するとともに、ユーザの要望に応じて記憶装置に記憶された楽曲データを再生するものである（例えば、特許文献１参照）。
【特許文献１】特開平８−２０４８３９号公報
【発明の開示】
【発明が解決しようとする課題】
【０００３】
ところで、楽曲データ（カラオケデータ）には、予め結ばれた楽曲データ権利者との契約によってどのカラオケ装置でも再生が許可されている基本コンテンツと、前記契約に含まれない有料コンテンツとがある。そして、有料コンテンツは、別途、前記権利者と契約（以下、有料契約という。）を結んで所定の料金を納付することによって再生を許可されたカラオケ装置にのみ楽曲データ記憶することでしか再生することができない。
【０００４】
しかし、有料コンテンツが記憶された記憶装置から有料コンテンツを他の記憶装置に複製すると、有料契約が結ばれていないカラオケ装置においても有料コンテンツを再生することができる。なお、このような所定の有料契約に基づかない有料コンテンツの複製は、不正な複製（以下、不正複製という。）であり、不正行為の一つである。
【０００５】
上記のような不正行為に対しては、カラオケ装置に内蔵されている記憶装置に不正複製された有料コンテンツが含まれる楽曲データが記憶されているか否か、つまり記憶装置に付与されたシリアルナンバー等の識別情報に基づいて、不正複製された記憶装置が内蔵されているか否かを検出し、この検出結果をカラオケデータ配信ホスト装置に送信することにより、不正行為を監視し、不正行為を抑止するといった手段が考えられる。
【０００６】
しかし、この手段では、不正複製された記憶装置が内蔵されているか否かの検出結果は、一旦それぞれのカラオケ装置に記憶され、所定のタイミングでカラオケデータ配信ホスト装置に送信されるので、検出結果をカラオケデータ配信ホスト装置に送信する際に、カラオケ装置の電源が遮断されている場合やカラオケ装置に接続された通信回線が遮断されている場合等には、そのカラオケ装置に記憶されている検出結果をカラオケデータ配信ホスト装置に送信することができない。
【０００７】
したがって、上記手段では、カラオケデータ配信ホスト装置が検出結果を知ることができないので、カラオケ装置側に不正複製が発生しているか否かを検知することができないという問題を有している。
【０００８】
本発明は、上記点に鑑み、いわゆる通信カラオケにおいて、記憶装置に不正複製されたカラオケデータ（楽曲データ）が記憶されているか否かの検出結果を、確実にカラオケデータ配信ホスト装置に送信することが可能なカラオケシステムを提供することを目的とする。
【課題を解決するための手段】
【０００９】
本発明は、上記目的を達成するために、請求項１に記載の発明では、カラオケデータ配信ホスト装置、及びカラオケデータ配信ホスト装置から通信回線を介して配信されるカラオケデータを受信するとともに、互いに通信回線を介して接続された複数のカラオケデータ受信装置を有するカラオケシステムであって、複数のカラオケデータ受信装置それぞれに設けられ、カラオケデータ配信ホスト装置から配信されたカラオケデータを記憶する記憶装置と、記憶装置に不正複製されたカラオケデータが記憶されているか否かを検出する不正複製検出手段と、複数のカラオケデータ受信装置それぞれに設けられ、不正複製検出手段の検出結果を記憶する検出結果記憶手段と、検出結果記憶手段により記憶されている検出結果に基づく情報をカラオケデータ配信ホスト装置に送信する検出結果送信手段とを備えることを特徴とする。
【００１０】
これにより、本発明では、通信回線を介して接続された全てのカラオケデータ受信装置に関する検出結果が、全てのカラオケデータ受信装置にて共有することとなるので、検出結果をカラオケデータ配信ホスト装置に送信する際に、いずれかのカラオケデータ受信装置の電源が遮断されている場合やいずれかのカラオケデータ配信ホスト装置に接続された通信回線が遮断されている場合であっても、そのカラオケデータ受信装置に関する検出結果をカラオケデータ配信ホスト装置に送信することができる。
【００１１】
延いては、不正行為を常に監視することができるので、不正複製された記憶装置に換装するといった不正行為を抑止することができる。
なお、本発明では、それぞれのカラオケデータ受信装置が不正複製検出手段を有している場合は勿論、カラオケシステムとして専用の不正複製検出手段を有している場合も含むものである。
【００１２】
すなわち、本発明は、複数のカラオケデータ受信装置のうち特定のカラオケデータ受信装置のみが不正複製検出手段を有し、その特定のカラオケデータ受信装置が自身及び他のカラオケデータ受信装置について不正複製されたカラオケデータが記憶されているか否かを検出して、その検出結果を全てのカラオケデータ受信装置で共有するようにしてもよい。
【００１３】
また、後述するように、それぞれのカラオケデータ受信装置が不正複製検出手段を有し、それぞれが検出した結果を全てのカラオケデータ受信装置にて共有するようにしてもよい。
【００１４】
請求項２に記載の発明では、カラオケデータ配信ホスト装置、及びカラオケデータ配信ホスト装置から通信回線を介して配信されるカラオケデータを受信するとともに、互いに通信回線を介して接続された複数のカラオケデータ受信装置を有するカラオケシステムであって、複数のカラオケデータ受信装置それぞれに設けられ、カラオケデータ配信ホスト装置から配信されたカラオケデータを記憶する記憶装置と、複数のカラオケデータ受信装置それぞれに設けられ、自身に設けられた記憶装置に不正複製されたカラオケデータが記憶されているか否かを検出する不正複製検出手段と、複数のカラオケデータ受信装置それぞれに設けられ、他のカラオケデータ受信装置に設けられた不正複製検出手段の検出結果及び自身に設けられた不正複製検出手段の検出結果を記憶する検出結果記憶手段と、検出結果記憶手段により記憶されている検出結果に基づく情報をカラオケデータ配信ホスト装置に送信する検出結果送信手段とを備えることを特徴とする。
【００１５】
これにより、請求項１に記載の発明と同様に、通信回線を介して接続された全てのカラオケデータ受信装置に関する検出結果が、全てのカラオケデータ受信装置にて共有することとなるので、検出結果をカラオケデータ配信ホスト装置に送信する際に、いずれかのカラオケデータ受信装置の電源が遮断されている場合等であっても、そのカラオケデータ受信装置に関する検出結果をカラオケデータ配信ホスト装置に送信することができる。
【００１６】
ところで、仮に、他のカラオケデータ受信装置に設けられた不正複製検出手段によって不正複製されたカラオケデータが記憶されているか否かを検出しようとすると、検出対象となっているカラオケデータ受信装置の電源が遮断されている場合や通信回線が遮断されている場合には、そのカラオケデータ受信装置についての検出結果を得ることができない。
【００１７】
これに対して、本発明では、自身に設けられた不正複製検出手段によって記憶装置に不正複製されたカラオケデータが記憶されているか否かを検出し、他のカラオケデータ受信装置については、他のカラオケデータ受信装置に設けられた不正複製検出手段の検出結果を記憶するので、他のカラオケデータ受信装置に設けられた不正複製検出手段によって不正複製されたカラオケデータが記憶されているか否かを検出する場合に比べて、確実に不正複製を監視することができる。
【００１８】
請求項３に記載の発明では、検出結果送信手段は、複数のカラオケデータ受信装置のうち特定のカラオケデータ受信装置に設けられていることを特徴とする。
これにより、複数のカラオケデータ受信装置それぞれがカラオケデータ配信ホスト装置に検出結果を送信する場合に比べて、通信負荷（通信回数）を小さくすることができる。
【発明を実施するための最良の形態】
【００１９】
本実施形態は、通信回線を介して楽曲データを各カラオケ装置に配信する、いわゆる通信カラオケに本発明に係るカラオケシステムを適用したものであり、以下に本発明の実施形態を図面と共に説明する。
【００２０】
１．カラオケシステムの構成
図１は、本実施形態に係るカラオケシステムの全体概要を示すブロック図であり、図２はカラオケ店舗側におけるカラオケシステムの概要を示すブロック図である。
【００２１】
本実施形態に係るカラオケシステムは、オケ店舗に設置されてユーザに直接カラオケサービスを提供するカラカラオケ装置１０、２０、及びカラオケ店舗外に設置されてカラオケ装置１０、２０に楽曲データを配信するカラオケデータ配信ホスト装置（以下、センタ装置という。）１００等から構成されている。
【００２２】
カラオケ装置１０、２０は楽曲データを再生するもので、カラオケ店舗に設置された複数台のカラオケ装置１０、２０は互いに通信回線３００にて接続されてネットワークシステムを構成している。なお、カラオケ装置１０、２０の詳細は後述する。
【００２３】
そして、本実施形態においては、シリアル番号００００１のカラオケ装置１０がマスタ（親機）となっており、シリアル番号００００２〜００００５の４台のカラオケ装置２０がマスタのカラオケ装置１０に対するスレーブ（子機）となっている。なお、スレーブ装置の台数は１台以上あればよく、スレーブ装置同士の区別を特にする必要はない。
【００２４】
また、マスタのカラオケ装置１０は、一般の電話回線や光通信回線等の一般公衆通信回線４００を介してセンタ装置１００と通信可能に接続されており、本実施形態では、スレーブのカラオケ装置２０は、マスターのカラオケ装置１０を介して楽曲データを受信する。
【００２５】
また、カラオケ店舗には、通信回線を介して接続されたカラオケ装置１０、２０に加えて、図２に示すように、カラオケ装置１０、２０を遠隔操作するためのリモートコントロールユニット３０（以下、リモコン３０と記す。）が設置されており、このリモコン３０は、赤外線を利用した無線通信方法にてカラオケ装置１０、２０と通信を行う。
【００２６】
なお、リモコン３０の通信方法は、これに限定されるものではなく、例えばケーブルを用いた有線通信方法であってもよいことは言うまでもない。
また、リモコン３０には、再生可能な楽曲データのリスト等が表示される表示パネル３１が設けられており、本実施形態では、表示パネル３１として、表示パネル３１のいずれかの部位に人間（ユーザ）が触れたか否かを関知して、その触れた部位を示す信号を発する、いわゆるタッチパネルを採用している。このため、ユーザは、表示パネル３１の所定部位に触れることによりリモコン３０（カラオケ装置１０、２０）を操作指示することができる。
【００２７】
解除クレードル４０は、ユーザによるリモコン３０の使用が終了したことをカラオケ装置１０、２０に認識させる通信（くくりつけ）解除手段であり、この解除クレードル４０は通信回線３００を介してカラオケ装置１０、２０に接続されている。
【００２８】
１．２．センタ装置１００の構成
図３（ａ）はセンタ装置１００の概要構成を示す模式図である。
センタ装置１００は、図３（ａ）に示すように、ＣＰＵ１０６、ＲＯＭ１０８、ＲＡＭ１０７、ハードディスク記憶装置（ＨＤＤ）１０１、モデム０２及びブロードバンド用通信制御部１０３等を有して構成されており、ＣＰＵ１０６やＲＯＭ１０８等は、バス１０９を介して接続されている。
【００２９】
また、センタ装置１００のＨＤＤ１０１内には、楽曲演奏に使用する音楽情報や背景画又は歌詞等の画像情報等の楽曲データ、及びカラオケ装置１０、２０の作動を制御するシステムプログラムのバージョンアップ情報等が記憶されている。
【００３０】
そして、センタ装置１００は、カラオケ店舗に設置されたカラオケ装置（特に、マスタのカラオケ装置１０）と定期的に通信を行い、新規の楽曲データやシステムプログラムのバージョンアッププログラム等を各カラオケ装置１０、２０に配信するとともに、各カラオケ装置１０、２０で使用された有償楽曲データの使用回数等の情報を受信する。
【００３１】
１．３．マスタのカラオケ装置１０の構成
図３（ｂ）はマスタのカラオケ装置１０の概略構成を示す模式図である。
マスタのカラオケ装置１０は、図３（ｂ）に示すように、ＣＰＵ１６、ＲＯＭ１８、ＲＡＭ１７、ハードディスク記憶装置（ＨＤＤ）１１、モデム１２、ＬＡＮ回路１３、再生装置１４、及び入力装置１５等を有して構成されており、ＣＰＵ１６やＲＯＭ１８等は、バス１９を介して接続されている。
【００３２】
ここで、再生装置１４は、カラオケ演奏や背景映像・歌詞テロップの表示等を行う再生装置であり、この再生装置１４は図示しない音源装置、音声データ処理部、及びディスプレイの表示を制御する表示制御部等を有して構成されている。
【００３３】
入力装置１５は、カラオケ利用者からの操作指示（例えば曲の選択、演奏音のキーの調整、音量の調整等）を受け付ける入力装置であり、この入力装置１５はキースイッチやリモートコントローラ等から構成されている。なお、入力装置１５で行う操作指示は、リモコン３０を用いて行うことができる。
【００３４】
ＨＤＤ１１は種々のデータを記憶する記憶手段であり、このＨＤＤ１１に記憶されているデータとしては、楽曲データ等のセンタ装置１００から配信されるデータ、マスタのカラオケ装置１０を含むネットワークを構成する装置のグループリスト（図４（ａ）参照）、センタ装置１００からコンテンツデータの配信を受ける契約を結んだときに設定した接続電話番号（図４（ａ）参照）、センタ装置の電話番号（図４（ａ）参照）、及び認証成功日時等の管理情報（図４（ａ）参照）等がある。
【００３５】
モデム１２は、一般公衆電話回線４００を介してセンタ装置１００と通信を行うための通信手段であり、マスタのカラオケ装置１０は、一般公衆電話回線４００及びセンタ装置１００のモデム１０２を介してデータの授受を行う。
【００３６】
１．４．スレーブのカラオケ装置２０の構成
図３（ｃ）はスレーブのカラオケ装置２０の概略構成を示す模式図である。
スレーブのカラオケ装置２０は、図３（ｃ）に示すように、モデムの有無を除き、マスタのカラオケ装置１０（図３（ｂ）参照）と同じ構成である。つまり、ＣＰＵ２６、ＲＯＭ２８、ＲＡＭ２７、ハードディスク記憶装置（ＨＤＤ）２１、ＬＡＮ回路２３、再生装置２４、及び入力装置２５等をバス２９で接続したものである。
【００３７】
なお、スレーブのカラオケ装置２０のＨＤＤ２１に記憶されている楽曲データは、重複通信料の発生及び通信トラフィックの低減を図るべく、通常、スレーブが直接センタ装置１００から配信を受けるのではなく、マスタのカラオケ装置１０のＨＤＤ１１に記憶されている楽曲データが複写されることにより記憶される。
【００３８】
２．カラオケシステムの作動
カラオケシステムは、ユーザがリモコン３０又はカラオケ装置１０、２０を操作することより所望の楽曲データを再生するものである。そして、本実施形態に係るカラオケシステムでは、有料コンテンツを再生するためのライセンス契約は、有料の楽曲データ毎にではなくカラオケ装置２０毎に結ばれている。
【００３９】
したがって、ライセンス契約を結んでいるカラオケ装置２０のＨＤＤ２１にはライセンスを必要とする有料の楽曲データが記憶されているのに対して、ライセンス契約を結んでいないカラオケ装置２０のＨＤＤ２１にはライセンスを必要とする有料の楽曲データが記憶されていない。
【００４０】
２．１．本実施形態に係るカラオケシステムの概略作動
本実施形態では、カラオケサービス提供者（カラオケ店舗）側からユーザにリモコン３０が貸与され、リモコン３０とカラオケ装置２０との通信が可能となった時、つまりリモコン３０をカラオケ装置２０に「くくりつけ」られた時からカラオケサービスの提供が開始され、リモコン３０とカラオケ装置２０との通信が不可能となった時、つまり「くくりつけが解除」された時にカラオケサービスの提供が終了する。
【００４１】
２．２．ＨＤＤの不正複製監視制御
２．２．１．ＨＤＤの不正複製監視制御の概要
図５はセンタ装置１００、マスタ装置１０及びカラオケ装置２０間で行われる信号の授受を示すチャートである。
【００４２】
各カラオケ装置１０、２０は、所定時間毎に自身に現在装着されているＨＤＤ２１のシリアル番号（製造番号）を読み取って、その読み取ったシリアル番号を一旦、ＲＡＭ２７に書き込んで記憶する。
【００４３】
次に、各カラオケ装置２０は、通信回線３００を介して他のカラオケ装置２０に接続し、その他のカラオケ装置２０自身が読み取ったＨＤＤ２１のシリアル番号を読み取って、その読み取ったシリアル番号を一旦、ＲＡＭ２７に書き込んで記憶する。
【００４４】
次に、カラオケ装置２０は、このようにして収集した他のカラオケ装置２０のシリアル番号及び自身のシリアル番号を自身のＨＤＤ２１に確保された特定の記憶領域に書き込んでＨＤＤ対応リストを更新作成する。
【００４５】
ここで、ＨＤＤ対応リストとは、図６に示すように、工場出荷時又は正規メインテナンス時にカラオケ装置２０に装着されているＨＤＤ２１のシリアル番号（正規番号）、所定時間毎に読み取ったＨＤＤ２１のシリアル番号（現在番号）、及びそのカラオケ装置２０を示す番号（本実施形態では、カラオケ装置２０のＩＰアドレス）の対応関係を示す対応表をいう。
【００４６】
なお、ＨＤＤ２１の正規番号は、工場出荷時又は正規メインテナンス時にＲＯＭ１８等のＨＤＤ２１とは別の記憶装置であって、カラオケ装置２０の電源が遮断されても記憶内容を保持することができる記憶装置（例えば、フラッシュメモリ）に記憶される。したがって、カラオケ装置２０を正規に修理等をしない限り、正規番号は変わらない。
【００４７】
このようにして、通信回線３００に接続されたマスタ装置１０を含む全てカラオケ装置２０それぞれは、所定時間後毎にＨＤＤ対応リスト更新作成する。
また、マスタ装置１０は、所定時間毎に通信回線３００を介して各カラオケ装置２０で作成されたＨＤＤ対応リストそれぞれを全て読み込むとともに、読み込んだ全てのＨＤＤ対応リストに示された対応関係が一致しているか否かを検査し、その検査結果をセンタ装置１００に送信する。
【００４８】
ここで、マスタ装置１０は、全てのＨＤＤ対応リストにおいて正規番号と現在番号とが一致している場合には、ＨＤＤ対応リストに示された対応関係が一致していると判定し、正規番号と現在番号とが一部のＨＤＤ対応リストにおいてでも不一致である場合は、ＨＤＤ対応リストに示された対応関係が一致していないと判定する。
【００４９】
そして、ＨＤＤ対応リストに示された対応関係が一致していない旨の検査結果を受信したセンタ装置１００は、マスタ装置１０を経由して対応関係が一致していないカラオケ装置２０に対して警告信号（ＮＧ信号）を発する。
【００５０】
一方、センタ装置１００からの警告信号を受信したカラオケ装置２０は、そのカラオケ装置２０にくくりつけられたリモコン３０の表示パネル３１、又は再生装置１４のうち楽曲データが再生表示されるディスプレイに、その旨の警告表示を表示する。因みに、表示パネル３１又はディスプレイに表示される警告表示は、例えば不正複製を意味する記号（マーク）、文字又は数字等である。
【００５１】
なお、マスタ装置１０以外のカラオケ装置２０はセンタ装置１００と直接的に通信を行うことができないなので、本実施形態では、センタ装置１００からの警告信号の全ては、常時電源が投入されているマスタ装置１０で一旦受信し、マスタ装置１０を介して子機であるカラオケ装置２０に送信される。
【００５２】
そして、子機であるカラオケ装置２０の電源が遮断されているときは、センタ装置１００から送信された警告信号をマスタ装置１０が記憶し、子機であるカラオケ装置２０の電源が投入されたときに、その警告信号がカラオケ装置２０に送信される。
【００５３】
２．２．２．ＨＤＤの不正複製監視制御の詳細
２．２．２．１．カラオケ装置（マスタ装置を含む。）の制御
図７は各カラオケ装置２０（マスタ装置１０を含む。）それぞれで行われる制御を示すフローチャートであり、この制御フローは、カラオケ装置２０の電源スイッチ（図示せず。）が投入されると起動される。
【００５４】
この制御フローが起動されると、先ず、センタ装置１００から警告信号（ＮＧ信号）が送信されたか否かが確認され、警告信号が送信されていた場合にはその旨の警告が表示パネル３１等に表示される（Ｓ１）。次に、前回ＨＤＤ対応リストを更新作成した時、又は電源スイッチが投入された時から所定時間（本実施形態では、１時間）が経過したか否かが判定される（Ｓ３）。
【００５５】
そして、所定時間が経過したと判定された場合には（Ｓ３：ＹＥＳ）、自身に現在装着されているＨＤＤ２１のシリアル番号が読み取られ、その読み取られたシリアル番号（現在番号）が一旦、ＲＡＭ２７に記憶される（Ｓ７）。
【００５６】
次に、他のカラオケ装置２０自身が読み取った自身のシリアル番号（現在番号）が他のカラオケ装置２０それぞれから読み取られる（Ｓ７）。そして、全てのカラオケ装置２０についてのシリアル番号（現在番号）を読み取ったか否かが判定され（Ｓ９）、全てカラオケ装置２０についてのシリアル番号（現在番号）を読み取ったと判定された場合には（Ｓ９：ＹＥＳ）、その読み取り採集したシリアル番号（現在番号）に基づいてＨＤＤ対応リストが更新作成される（Ｓ１１）。なお、Ｓ３〜Ｓ１１は電源スイッチが遮断されるまで繰り返して実行される。
【００５７】
２．２．２．２．マスタ装置固有の制御
図８はＨＤＤの不正複製監視制御に関してマスタ装置１０で実行される制御を示すフローチャートであり、このフローチャートはマスタ装置１０の電源スイッチ（図示せず。）が投入されると起動される。
【００５８】
この制御フローが起動されると、前回センタ装置１００に検査結果を送信した時、又は電源スイッチが投入されてから所定時間（本実施形態では、１時間）が経過したか否かが判定され（Ｓ２１）、所定時間が経過したと判定された場合には（Ｓ２１：ＹＥＳ）、全て子機であるカラオケ装置２０に対してＨＤＤ対応リストの提出が要求される（Ｓ２３）。
【００５９】
そして、全てのカラオケ装置２０からＨＤＤ対応リストが収集されたか否かが判定され（Ｓ２５）、全てのカラオケ装置２０からＨＤＤ対応リストが収集されたと判定された場合には（Ｓ２５：ＹＥＳ）、全てのＨＤＤ対応リストに示された対応関係が一致しているか否かが検査された後（Ｓ２７）、その検査結果がセンタ装置１００に送信される（Ｓ２９）。なお、本制御フローは、マスタ装置１０の電源スイッチが遮断されない限り、繰り返し実行される。
【００６０】
３．本実施形態に係るカラオケシステムの特徴
本実施形態では、通信回線３００を介して接続された全てのカラオケ装置２０において全てカラオケ装置２０に関するＨＤＤ対応リストを有することとなるので、センタ装置１００に送信する際に、いずれかのカラオケ装置２０の電源が遮断されている場合やいずれかのカラオケ装置２０に接続された通信回線３００が遮断されている場合であっても、そのカラオケ装置２０に関する検出結果をセンタ装置１００に送信することができる。
【００６１】
したがって、不正行為を常に監視することができるので、不正複製されたＨＤＤ２１に換装するといった不正行為を抑止することができる。
ところで仮に、カラオケ装置２０が自身のシリアル番号（現在番号）を読み取るのではなく、他のカラオケ装置（例えば、マスタ装置１０）が、他の（例えば、スレーブのカラオケ装置２０の）ＨＤＤ２１のシリアル番号（現在番号）を直接的に読み取る（検出）するような構成とすると、他のカラオケ装置２０がシリアル番号を読み取ろうとしたときに、その読み取り対象となっているカラオケ装置２０の電源が遮断されている場合や通信回線３００が遮断されていると、シリアル番号を読み取ることができない。
【００６２】
これに対して、本実施形態ではでは、自身が自身のＨＤＤ２１のシリアル番号を読み込み、他のカラオケ装置２０に搭載されているＨＤＤ２１のシリアル番号については、他のカラオケ装置２０自身が読み込んだシリアル番号を読み込んで記憶する、つまり他のカラオケ装置２０を介して間接的に読み取るので、他のカラオケ装置２０によって直接的にシリアル番号を読み取る場合に比べて、確実にシリアル番号を読み取ることができる。
【００６３】
したがって、全てカラオケ装置２０に関するＨＤＤ対応リストを確実に全てのカラオケ装置２０にて共有することができるので、不正複製を確実に監視することができる。
また、ＨＤＤ対応リストの検査結果は、マスタ装置１０が代表してセンタ装置１００に送信するので、全てのカラオケ装置２０が個々にセンタ装置１００に検査結果を送信する場合に比べて、通信負荷（通信回数）を小さくすることができる。
【００６４】
４．発明特定事項と実施形態との対応関係
本実施形態では、センタ装置１００が特許請求の範囲に記載されたカラオケデータ配信ホスト装置に相当し、カラオケ装置１０、２０が特許請求の範囲に記載されたカラオケデータ受信装置に相当し、ＨＤＤ１１、２１が特許請求の範囲に記載された記憶装置に相当する。
【００６５】
また、Ｓ５〜Ｓ１１及びＣＰＵ１６、２６が特許請求の範囲に記載された不正複製検出手段に相当し、ＨＤＤ１１、２１及びＣＰＵ１６、２６が特許請求の範囲に記載された検出結果記憶手段に相当し、Ｓ２９及びＣＰＵ１６、２６が特許請求の範囲に記載された検出結果送信手段に相当する。
【００６６】
（その他の実施形態）
上述の実施形態では、マスタ装置１０にて比較検査を実行したが本発明はこれに限定されものではなく、各カラオケ装置２０それぞれが他のカラオケ装置２０に記憶されているＨＤＤ対応リストを読み込み、各カラオケ装置２０それぞれで比較検査を実行してもよい。
【００６７】
また、上述の実施形態では、マスタ装置１０がセンタ装置１００に検査結果を報告したが、本発明はこれに限定されるものではなく、各カラオケ装置２０がセンタ装置１００に検査結果を報告してもよい。
【００６８】
また、上述の実施形態では、他のカラオケ装置２０を介して間接的にシリアル番号を読み取ったが、本発明はこれに限定されるものではなく、例えばマスタ装置１０が直接的に他のカラオケ装置２０のシリアル番号を読み取るように構成してもよい。
【００６９】
また、上述の実施形態では、カラオケ装置２０が警告信号を受信した場合に表示される警告表示は常に同じであったが、本発明はこれに限定されるものではなく、カラオケ装置２０の稼働状況や再生されている楽曲データに応じて警告表示そのもの、又は警告表示の表示位置を異ならせてもよい。
【００７０】
また、上述の実施形態では、シリアル番号に基づいて不正複製されたＨＤＤであるか否かが判定されたが、本発明はこれに限定されるものではない。
また、上述の実施形態では、ＨＤＤ対応リストに示された対応関係が一致している場合も一致していない場合もセンタ装置１００に報告したが、本発明はこれに限定されるものではなく、ＨＤＤ対応リストに示された対応関係が一致していない場合にのみ検査結果を報告するようにしてもよい。
【００７１】
また、本発明は、特許請求の範囲に記載された発明の趣旨に合致するものであればよく、上述の実施形態に限定されるものではない。
【図面の簡単な説明】
【００７２】
【図１】本発明の実施形態に係るカラオケシステムの模式図である。
【図２】本発明の実施形態に係るカラオケシステムの模式図である。
【図３】（ａ）はセンタ装置の模式図であり、（ｂ）はマスタ装置の模式図であり、（ｃ）はカラオケ装置（子機）の模式図である。
【図４】認証及び動作制限のために用いられる情報についての説明図である。
【図５】センタ装置１００、マスタ装置１０及びカラオケ装置２０間で行われる信号の授受を示すチャートである。
【図６】ＨＤＤ対応リストの一例を示す図表である。
【図７】各カラオケ装置２０（マスタ装置１０を含む。）それぞれで行われる制御を示すフローチャートである。
【図８】ＨＤＤの不正複製監視制御に関してマスタ装置１０で実行される制御を示すフローチャートである。
【符号の説明】
【００７３】
１０…カラオケ装置、１２…モデム、１３…ＬＡＮ回路、１４…再生装置、
１５…入力装置、１９…バス、２０…カラオケ装置、２３…ＬＡＮ回路、
２４…再生装置、２９…バス、３０…リモートコントロールユニット（リモコン）、
３１…表示パネル、４０…解除クレードル、１００…センタ装置、
１０２…モデム、１０９…バス、３００…通信回線、４００…一般公衆通信回線。
【図１】
2007065153.tif 000003
【図３】
2007065153.tif 000004
【図４】
2007065153.tif 000005
【図５】
2007065153.tif 000006
【図６】
2007065153.tif 000007
【図７】
2007065153.tif 000008
【図８】
2007065153.tif 000009
【図２】
2007065153.tif 000010